(57)【要約】【課題】ソケットに装着したランプが回転することを防止する。【解決手段】口金２２ａに回転防止用穴部２４を設け、本体部１１におけるランプを正規の装着位置に装着したときに回転防止用穴部２４に対向する位置に、回転防止用穴部２４に挿入される回転防止部材１３を設ける。【選択図】図１
2013084527.tif 000002
【特許請求の範囲】
【請求項１】
本体部と上記本体部に取り付けられたソケットとを有する灯具と、上記ソケットに着脱可能に装着されるランプとを備え、上記ランプに設けられた突出部を上記ソケットに設けられた溝部に挿入した状態で上記ランプを所定角度回転させることにより上記ランプを上記ソケットに装着する照明装置であって、
上記ソケットは、上記溝部を有し、当該溝部に上記突出部が挿入された上記ランプとともに回転する回転支持部と、上記回転支持部を回転可能に支持する、上記本体部に固定されるソケット筐体部とを備えており、
上記ランプおよび上記回転支持部を回転部材、上記本体部および上記ソケット筐体部を非回転部材とすると、
上記回転部材および上記非回転部材のうちの一方の部材に、上記ランプを上記ソケットに装着した状態から上記ランプが回転することを防止するための回転防止部材が挿入される回転防止用穴部を備えていることを特徴とする照明装置。
【請求項２】
上記回転防止部材は、上記回転部材および上記非回転部材のうちの上記回転防止用穴部が設けられていない方の部材における上記ランプを上記ソケットに装着したときに上記回転防止用穴部に対向する対向位置に設けられており、
上記回転防止部材に対して当該回転防止部材を上記回転防止用穴部に挿入する方向に押す力を付与する付勢部材を備えており、
上記回転防止部材は、上記ランプに設けられた突出部を上記ソケットに設けられた溝部に挿入した状態で上記ランプを所定角度回転させたときに上記付勢部材によって付与される力により上記回転防止用穴部に挿入されることを特徴とする請求項１に記載の照明装置。
【請求項３】
上記回転防止部材は、当該回転防止部材を上記回転防止用穴部から抜き出す際に工具または指を当接させて当該回転防止部材に上記回転防止部材から抜き出す方向への力を付与するための、当該方向に対して非平行な面を有する被当接部を備えていることを特徴とする請求項２に記載の照明装置。
【請求項４】
上記回転防止部材は、当該回転防止部材の上記回転防止用穴部に対する挿入方向に対して垂直な方向に突出する突出部を備えており、
上記突出部は上記灯具内に収容されており、
上記灯具には、上記回転防止部材を上記回転防止部材から抜き出す際に工具を挿入して上記突出部を操作するための工具挿入穴が設けられていることを特徴とする請求項２に記載の照明装置。
【請求項５】
上記灯具には上記突出部に当接する偏心カムが回転可能に備えられており、
上記工具挿入穴から工具を挿入して上記偏心カムを回転させることにより、上記回転防止部材に対して上記回転防止用穴部から抜き出す方向への力が付与されることを特徴とする請求項４に記載の照明装置。
【請求項６】
上記回転部材および上記非回転部材のうちの上記回転防止用穴部が設けられていない方の部材における上記ランプを上記ソケットに装着したときに上記回転防止用穴部に対向する対向位置に上記回転防止部材が貫挿される貫挿穴部が設けられており、
上記回転防止部材は、上記貫挿穴部に貫挿されて上記回転防止用穴部に挿入される部材であることを特徴とする請求項１に記載の照明装置。
【請求項７】
上記貫挿穴部、および上記回転防止用穴部のうちの少なくとも一方はネジ溝が切られた雌ネジであり、上記回転防止部材は上記ネジ溝に応じたネジ山を有する雄ネジであり、
上記回転防止部材の頭部頂面に、当該回転防止部材を回すために工具の先端が挿入される凹部または凸部が設けられており、上記凹部または上記凸部の形状は、プラスドライバー、マイナスドライバー、および六角レンチとは異なる工具である特殊工具の先端形状に応じた形状であることを特徴とする請求項６に記載の照明装置。
【発明の詳細な説明】
【技術分野】
【０００１】
本発明は、ランプを装着するためのソケットを備えた照明装置に関するものである。
【背景技術】
【０００２】
従来、ソケットを備えた灯具と、ソケットに装着されるランプとを備え、ランプに設けられたランプピンをソケットに設けられた溝部に挿入した後、ランプを回転させることによりランプをソケットに装着する構成の照明装置が用いられている。
【０００３】
この種の照明装置としては、例えば、日本電球工業会規格ＪＥＬ８０１に準拠したランプソケットを有する灯具と、同規格ＪＥＬ９０７に準拠したＧＸ１６ｔ−５口金を有するランプとを備えた照明装置などが挙げられる。
【０００４】
また、例えば、特許文献１には、直管形の蛍光ランプが装着されるソケットであって、ランプピンが下方から鉛直方向上方に向けて挿入される溝部にランプピンの外径よりも狭い狭窄部を設けたソケットが開示されている。この特許文献１の技術では、ランプの装着動作時には、ランプピンを狭窄部を乗り越えて溝部に挿入させ、その状態で水平方向を軸としてランプを回転させることで溝部の方向を水平方向にしてランプをソケットに装着するようになっている。また、装着後にランプから手を離した状態では、たとえランプが回転して溝部の方向が鉛直方向になった場合であっても、ランプピンが狭窄部に引っ掛かることにより、ランプが落下しないようになっている。
【先行技術文献】
【特許文献】
【０００５】
【特許文献１】特許第４４８８６４９号公報（公開日：平成１４年１１月２９日）
【発明の概要】
【発明が解決しようとする課題】
【０００６】
ところで、上述したような、ランプをソケットに挿入した後、ランプを回転させることによってソケットにランプを保持させる構成の照明装置では、一般に、ソケットにおける回転部と非回転部とにノッチを設け、ノッチのかみ合わせによってランプの回転防止が図られている。
【０００７】
しかしながら、このような構成からなる従来の照明装置では、ランプ取付時あるいはランプ交換時に生じるノッチの摩耗、あるいはノッチのかみ合わせ状態のばらつきに起因するランプの回転開始トルクのばらつきなどにより、振動等によってソケットに挿入されたランプが回転してしまう場合があった。
【０００８】
なお、上記特許文献１の技術は、ランプが回転してしまって溝部の方向が鉛直方向になった状態においてランプが落下することを防止するための技術であり、ランプが回転すること自体を防止することはできない。また、上記特許文献１の技術では、狭窄部の磨耗や変形等により狭窄部によるランプの保持力が低下した場合、ランプの回転によって溝部の方向が鉛直方向になると、ランプピンがランプの自重によって狭窄部を通過し、ランプが落下してしまう虞がある。
【０００９】
本発明は、上記の問題点に鑑みてなされたものであり、その目的は、ランプに設けられた突出部をソケットに設けられた溝部に挿入した後、ランプを回転させることによりランプをソケットに装着する構成の照明装置において、装着後にランプが回転してしまうことを防止することにある。
【課題を解決するための手段】
【００１０】
本発明の照明装置は、上記の課題を解決するために、本体部と上記本体部に取り付けられたソケットとを有する灯具と、上記ソケットに着脱可能に装着されるランプとを備え、上記ランプに設けられた突出部を上記ソケットに設けられた溝部に挿入した状態で上記ランプを所定角度回転させることにより上記ランプを上記ソケットに装着する照明装置であって、上記ソケットは、上記溝部を有し、当該溝部に上記突出部が挿入された上記ランプとともに回転する回転支持部と、上記回転支持部を回転可能に支持する、上記本体部に固定されるソケット筐体部とを備えており、上記ランプおよび上記回転支持部を回転部材、上記本体部および上記ソケット筐体部を非回転部材とすると、上記回転部材および上記非回転部材のうちの一方の部材に、上記ランプを上記ソケットに装着した状態から上記ランプが回転することを防止するための回転防止部材が挿入される回転防止用穴部を備えていることを特徴としている。
【００１１】
上記の構成によれば、ランプを所定角度回転させてソケットに装着した状態において回転防止部材が回転防止用穴部に挿入されるので、ランプが本体部に対して回転することを防止できる。したがって、ランプを灯具に装着した後にランプが回転してしまうことを防止できる。
【００１２】
また、上記回転防止部材は、上記回転部材および上記非回転部材のうちの上記回転防止用穴部が設けられていない方の部材における上記ランプを上記ソケットに装着したときに上記回転防止用穴部に対向する対向位置に設けられており、上記回転防止部材に対して当該回転防止部材を上記回転防止用穴部に挿入する方向に押す力を付与する付勢部材を備えており、上記回転防止部材は、上記ランプに設けられた突出部を上記ソケットに設けられた溝部に挿入した状態で上記ランプを所定角度回転させたときに上記付勢部材によって付与される力により上記回転防止用穴部に挿入される構成としてもよい。
【００１３】
上記の構成によれば、ランプが所定角度回転したときに上記付勢手段によって付与される力により回転防止部材が回転防止用穴部に挿入されるので、ランプを灯具に装着する操作を容易に行うことができる。
【００１４】
また、上記回転防止部材は、当該回転防止部材を上記回転防止用穴部から抜き出す際に工具または指を当接させて当該回転防止部材に上記回転防止部材から抜き出す方向への力を付与するための、当該方向に対して非平行な面を有する被当接部を備えている構成としてもよい。
【００１５】
上記の構成によれば、ランプを灯具から取り外すために回転防止部材を回転防止用穴部から抜き出す際の操作を容易に行うことができる。
【００１６】
また、上記回転防止部材は、当該回転防止部材の上記回転防止用穴部に対する挿入方向に対して垂直な方向に突出する突出部を備えており、上記突出部は上記灯具内に収容されており、上記灯具には、上記回転防止部材を上記回転防止部材から抜き出す際に工具を挿入して上記突出部を操作するための工具挿入穴が設けられている構成としてもよい。また、上記灯具には上記突出部に当接する偏心カムが回転可能に備えられており、上記工具挿入穴から工具を挿入して上記偏心カムを回転させることにより、上記回転防止部材に対して上記回転防止用穴部から抜き出す方向への力が付与される構成としてもよい。
【００１７】
上記の構成によれば、ランプを灯具から取り外す際、工具挿入穴から工具を挿入して突出部あるいは偏心カムを操作することにより、回転防止部材を回転防止用穴部から抜き出すことができる。また、突出部が灯具内に収容されているので、誤操作等によって回転防止部材が回転防止用穴部から抜き出されることを防止できる。
【００１８】
また、上記回転部材および上記非回転部材のうちの上記回転防止用穴部が設けられていない方の部材における上記ランプを上記ソケットに装着したときに上記回転防止用穴部に対向する対向位置に上記回転防止部材が貫挿される貫挿穴部が設けられており、上記回転防止部材は、上記貫挿穴部に貫挿されて上記回転防止用穴部に挿入される部材である構成としてもよい。
【００１９】
上記の構成によれば、回転防止部材を、貫挿穴部を介して回転防止用穴部に挿入することにより、ランプが本体部に対して回転することを防止できる。
【００２０】
また、上記貫挿穴部、および上記回転防止用穴部のうちの少なくとも一方はネジ溝が切られた雌ネジであり、上記回転防止部材は上記ネジ溝に応じたネジ山を有する雄ネジであり、上記回転防止部材の頭部頂面に、当該回転防止部材を回すために工具の先端が挿入される凹部または凸部が設けられており、上記凹部または凸部の形状は、プラスドライバー、マイナスドライバー、および六角レンチとは異なる工具である特殊工具の先端形状に応じた形状である構成としてもよい。
【００２１】
上記の構成によれば、悪戯等によってランプが取り外されることを防止できる。また、一般消費者が安易にランプの交換を行うことを防止できるので、灯具の特性に適合しないランプが誤装着されることを防止できる。
【発明の効果】
【００２２】
以上のように、本発明の照明装置によれば、ランプを灯具に装着した後にランプが回転してしまうことを防止できる。
【図面の簡単な説明】
【００２３】
【図１】本発明の一実施形態にかかる照明装置におけるランプと灯具との接続部分の構成を示す説明図である。
【図２】本発明の一実施形態にかかる照明装置の構成を示す説明図である。
【図３】図２の照明装置に備えられるランプの断面図である。
【図４】図２の照明装置に備えられるランプの口金の構成を示す説明図である。
【図５】図２の照明装置に備えられるソケットの構成を示す説明図である。
【図６】図２の照明装置に備えられるランプの口金の構成を示す説明図である。
【図７】図２の照明装置に備えられるソケットの構成を示す説明図である。
【図８】図２に示した照明装置においてランプを灯具に装着する際の回転防止部材の動きを示す説明図である。
【図９】図２に示した照明装置においてランプを灯具から取り外す際の操作方法を示す説明図である。
【図１０】（ａ）および（ｂ）は、図２に示した照明装置に備えられる回転防止部材の変形例を示す説明図である。
【図１１】図２に示した照明装置の変形例を示す説明図である。
【図１２】図２に示した照明装置の変形例を示す説明図である。
【図１３】図２に示した照明装置の変形例を示す説明図である。
【図１４】本発明の他の実施形態にかかる照明装置の構成を示す説明図である。
【図１５】図１４に示した照明装置に備えられるソケットの構成を示す説明図である。
【図１６】図１４に示した照明装置に備えられるソケットに回転防止部材を装着した状態を示す説明図である。
【図１７】図１６に示した回転防止部材の構成を示す説明図である。
【図１８】（ａ）〜（ｃ）は、図１４に示した照明装置の天井に対する設置状態の例を示す説明図である。
【図１９】図１４に示した照明装置の変形例を示す説明図である。
【図２０】（ａ）〜（ｄ）は、図１４に示した照明装置の変形例を示す説明図である。
【発明を実施するための形態】
【００２４】
〔実施形態１〕
本発明の一実施形態について説明する。
【００２５】
図２は、本実施形態にかかる照明装置１００の構成を示す説明図である。この図に示すように、照明装置１００は、灯具１０とランプ２０とを備えている。
【００２６】
灯具１０は、一方向に延伸する形状を有する本体部１１と、本体部１１における延伸方向の両端部近傍に設けられたソケット１２ａ，１２ｂとを備えている。また、本体部１１におけるソケット１２ａの近傍には回転防止部材１３が設けられている。なお、ソケット１２ａとソケット１２ｂとの間隔は、ランプ２０の長さに応じた間隔になっている。
【００２７】
ランプ２０は、一方向に延伸する直管部２１と、直管部２１の両端部に設けられた口金２２ａおよび２２ｂとを備えている。また、口金２２ａにおけるランプ２０の延伸方向外側にはランプピン２３ａ，２３ｂが設けられており、口金２２ｂにおけるランプ２０の延伸方向外側にはランプピン２３ｃが設けられている。
【００２８】
これにより、口金２２ａに設けられたランプピン２３ａ，２３ｂがソケット１２ａに挿入され、口金２２ｂに設けられたランプピン２３ｃがソケット１２ｂに挿入されてランプ２０が灯具１０に装着されるようになっている。また、ランプピン２３ａ，２３ｂは灯具１０に備えられる電源回路（図示せず）からの電力をランプ２０に給電するための給電端子としての機能を有しており、ランプピン２３ｃはランプ２０を接地するための接地端子としての機能を有している。
【００２９】
なお、本実施形態では、ソケット１２ａ，１２ｂとして日本電球工業会規格ＪＥＬ８０１に準拠したソケットを用いた。また、ランプ２０の口金２２ａ，２２ｂとして、日本電球工業会規格ＪＥＬ９０７のＧＸ１６ｔ−５に準拠した口金を用いた。
【００３０】
図３は、ランプ２０における直管部２１の延伸方向に垂直な断面の断面図である。この図に示すように、直管部２１は、円筒状の管体部３１と、管体部３１における内周面の一部に沿って配置された放熱部保持部材３２、放熱部３３、ＬＥＤ基板３４、およびＬＥＤ（光源）３５を備えている。
【００３１】
管体部３１の材質は特に限定されるものではないが、ＬＥＤ３５から出射された光を管体部３１の外部に透過させる光透過性と、ＬＥＤ３５の点灯に伴う発熱によって大幅な変形・変質等が生じない程度の耐熱性とを有する材料であることが好ましい。管体部３１の材料としては、例えば合成樹脂あるいはガラスを用いることができる。本実施形態では、耐衝撃性、耐熱性、光拡散性（光拡散機能）を有する材料である、乳白色のポリカーボネート樹脂からなる管体部３１を用いた。
【００３２】
放熱部保持部材３２は、管体部３１の延伸方向に沿って延伸し、かつ管体部３１の内周面に沿った形状を有しており、管体部３１の内周面の一部に対向するように管体部３１の内周面に取り付けられている。放熱部保持部材３２の材質は、耐熱性が高い材質であれば特に限定されるものではなく、例えば、耐熱性樹脂等の合成樹脂を用いることができる。本実施形態ではポリブチレンテレフタレート樹脂からなる放熱部保持部材３２を用いた。なお、本実施形態では、円筒状の管体部３１の内部に放熱部保持部材３２、放熱部３３、ＬＥＤ基板３４、およびＬＥＤ（光源）３５が備えられている構成について説明するが、これに限るものではない。例えば、管体部３１における周面の一部に外周面から内周面に貫通する切欠部が設けられており、放熱部保持部材３２、放熱部３３、ＬＥＤ基板３４、およびＬＥＤ（光源）３５の一部または全部が上記切欠部に備えられている構成としてもよい。
【００３３】
放熱部３３は、管体部３１の延伸方向に沿って延伸する形状を有しており、放熱部保持部材３２に取り付けられている。なお、放熱部３３は、ＬＥＤ３５から出射された光を管体部３１における発光面（放熱部保持部材３２が配置されていない面）に向けて反射する機能を有している。放熱部３３の材質は特に限定されるものではなく、ＬＥＤ３５から出射された光を反射する反射性と、ＬＥＤ３５の点灯に伴う熱を放熱するための熱伝導性とを有する材質であればよい。本実施形態では、アルミニウム（Ａｌ）からなる放熱部３３を用いた。
【００３４】
ＬＥＤ基板３４は、管体部３１の延伸方向に沿って延伸する形状を有しており、放熱部３３に取り付けられている。また、ＬＥＤ基板３４は、配線および制御回路（いずれも図示せず）を有するプリント基板であり、ＬＥＤ基板３４における放熱部３３に対する取付面と反対側の面には、管体部３１の延伸方向に沿って複数のＬＥＤ３５が所定のピッチで配置されている。これにより、ＬＥＤ基板３４は、ランプピン２３ａ，２３ｂを介して灯具１０の電源回路（図示せず）から供給される電力を用いて各ＬＥＤ３５を点灯させる。
【００３５】
なお、ＬＥＤ基板３４は、放熱性を高めるために、アルミニウム等の熱伝導性の良好な金属で構成されることが好ましい。ただし、ＬＥＤ基板３４の材質はこれに限るものではなく、例えば、ガラスエポキシ材等の非金属性の部材、あるいはセラミックスからなる基板を用いてもよい。
【００３６】
各ＬＥＤ３５の発光色は特に限定されるものではなく、例えば電球色、白色、あるいは他の色であってもよい。また、複数色のＬＥＤを備えていてもよく、それら複数色のＬＥＤの発光状態を制御することによりランプ２０から出射される光の色を調光できる構成としてもよい。
【００３７】
なお、本実施形態では、光源としてＬＥＤを備えたランプ２０を用いる場合について説明するが、ランプ２０の構成はこれに限るものではなく、蛍光体、エレクトロルミネッセンス（ＥＬ）素子等の他の光源を備えたランプを用いてもよい。
【００３８】
図４は、ランプ２０における口金２２ｂの構成を示す斜視図である。また、図５は、灯具１０におけるソケット１２ｂの構成を示す説明図である。
【００３９】
図４に示したように、口金２２ｂにおける直管部２１の延伸方向外側の面には、先端が略Ｔ字形であるランプピン（突出部）２３ｃが設けられている。また、図５に示したように、ソケット１２ｂにおけるランプ２０との対向面には、下方が開口した溝部４１が設けられており、溝部４１の内部にはランプピン２３ｃの先端形状に応じた形状を有する支持部（回転支持部）４２が設けられている。支持部４２は、ランプピン２３ｃの先端を保持した状態でランプ２０の延伸方向を軸として所定角度（本実施形態では９０度）回転可能に設けられている。
【００４０】
図６は、ランプ２０における口金２２ａの構成を示す斜視図である。また、図７は、灯具１０におけるソケット１２ａの構成を示す説明図である。
【００４１】
図６に示したように、口金２２ａにおける直管部２１の延伸方向外側の面には、先端が略Ｌ字形であるランプピン（突出部）２３ａ，２３ｂが口金２２ａにおける上記面が成す円の直径方向に沿って所定の間隔を隔てて設けられている。また、口金２２ａにおける灯具１０に装着されたときに灯具１０の本体部１１側となる面、すなわち直管部２１における放熱部保持部材３２、放熱部３３、ＬＥＤ基板３４、およびＬＥＤ（光源）３５が設けられている側の面には、回転防止用穴部２４が設けられている。なお、回転防止用穴部２４は、ランプ２０を灯具１０に装着したときに灯具１０に設けられた回転防止部材１３に対向する位置に設けられている。また、回転防止用穴部２４の開口部の形状は回転防止部材１３の回転防止用穴部２４に挿入される部分における当該回転防止部材１３の延伸方向に垂直な断面の形状に応じた形状を有しており、回転防止用穴部２４の開口部の開口面積は、回転防止部材１３における上記断面の断面積よりもわずかに大きく設定されている。
【００４２】
また、図７に示したように、ソケット１２ａにおけるランプ２０との対向面には、下方が開口した溝部５１と、溝部５１に連通して設けられた円形の切欠部５２と、切欠部５２内に回転可能に収容された回転支持部５３とが設けられている。また、回転支持部５３には、ランプ２０との対向面の一端部から直径方向に沿って他端部まで形成された溝部５４が形成されている。なお、溝部５１，５４の幅は、当該溝部５１，５４にランプピン２３ａ、２３ｂを挿入可能な幅になっている。
【００４３】
これにより、ランプ２０を灯具１０に装着する際には、（ｉ）ランプピン２３ｃをソケット１２ｂの溝部４１に挿入して支持部４２に支持させ、（ｉｉ）ランプピン２３ａ，２３ｂをソケット１２ａの溝部５１，５４に挿入し、（ｉｉｉ）ランプ２０を当該ランプ２０の延伸方向を軸として所定角度（本実施形態では９０度）回転させることにより、ランプ２０をソケット１２ａ，１２ｂに保持させてランプ２０を灯具１０に装着するようになっている。
【００４４】
図１は、灯具１０のソケット１２ａとランプ２０の口金２２ａとの接続部周辺の構成を示す説明図である。この図に示すように、灯具１０におけるランプ２０が装着されたときに口金２２ａと対向する位置には回転防止部材１３が設けられており、口金２２ａにおけるランプ２０が灯具１０に装着されたときに回転防止部材１３に対応する位置には回転防止用穴部２４が設けられている。
【００４５】
回転防止部材１３は長さＬ（ｃｍ）の棒状の部材である。また、回転防止部材１３の一部には、当該回転防止部材１３の延伸方向に垂直な面を有する板状部材１４が固定されている。また、板状部材１４における天井側の面（ランプ２０が備えられる側とは反対側の面）には、回転防止部材１３が挿通されたコイルバネ（つるまきバネ）からなるバネ（付勢部材）１５の一端側が当接している。なお、板状部材１４は回転防止部材１３と一体的に形成されていてもよく、回転防止部材１３とは別体に形成されて回転防止部材１３に固定されていてもよい。また、バネ１５の一端側は板状部材１４に取り付けられていてもよく、板状部材１４に当接するだけであってもよい。
【００４６】
灯具１０におけるランプ２０が装着されたときに口金２２ａと対向する位置には、第１収容部１６と第２収容部１７とが設けられている。
【００４７】
第１収容部１６は、回転防止部材１３の一部、板状部材１４、およびバネ１５を収容するための灯具１０の本体部１１に設けられた空洞部である。また、第２収容部１７は、回転防止部材１３の一端側の端部を収容する空洞部であり、第１収容部１６に連通して設けられている。
【００４８】
第１収容部１６におけるランプ２０側の面には蓋部１９が設けられている。また、蓋部１９には、回転防止部材１３における当該回転防止部材１３の延伸方向に垂直な断面の断面形状よりも大きく、板状部材１４におけるランプ２０側の面の形状よりも小さい穴（図示せず）が設けられおり、この穴に回転防止部材１３が挿通されている。
【００４９】
また、第１収容部１６におけるランプ２０側の面からランプ２０とは反対側の面のまでの深さはｄ（ｃｍ）である。
【００５０】
また、第１収容部１６におけるランプ２０側とは反対側の面の中央部には、当該第１収容部１６と連通する第２収容部１７が設けられている。第２収容部１７は、回転防止部材１３における当該回転防止部材１３の延伸方向に垂直な直径よりも大きく、バネ１５の直径よりも小さい直径を有する円形の開口部を備えている。したがって、バネ１５の他端側は第１収容部１６におけるランプ２０側とは反対側の面に当接している。これにより、バネ１５によって板状部材１４がランプ２０側に押され、回転防止部材１３がランプ２０側に付勢されている。
【００５１】
ただし、板状部材１４のランプ２０方向への移動は第１収容部１６の蓋部１９によって規制されている。その結果、回転防止部材１３は、当該回転防止部材１３の他端側に口金２２ａが当接していない状態では、第１収容部１６の蓋部１９から、灯具１０と口金２２ａとの間隔ａ（ｃｍ）に長さｂ（ｃｍ）を加えた長さ分だけランプ２０側に突出するようになっている。したがって、図１に示したように、ランプ２０を灯具１０に装着した状態では、回転防止部材１３の他端側の端部から長さｂ（ｃｍ）までの範囲が口金２２ａに設けられた回転防止用穴部２４に挿入される。なお、上記の長さａ，ｂは、ランプ２０の交換時に回転防止部材１３を回転防止用穴部２４から容易に抜き出せるように、ａ＞ｂの関係を満たすように設定されている。
【００５２】
なお、回転防止部材１３が第１収容部１６の蓋部１９からａ＋ｂ（ｃｍ）だけ突出している状態では、回転防止部材１３の一端側の端部と第２収容部１７におけるランプ２０とは反対側の面との間隔はｃ（ｃｍ）である。また、上記間隔ｃは、ｃ≧ｂの関係を満たしている。したがって、回転防止部材１３に対してバネ１５による付勢力に反する方向に当該付勢力よりも強い力を付与することにより、回転防止部材１３をバネ１５による付勢力に反する方向に移動させ、回転防止部材１３の他端側を口金２２ａに設けられた回転防止用穴部２４から抜き出すことができるようになっている。
【００５３】
図８は、ランプ２０を灯具１０に装着する際の回転防止部材１３の動きを示す説明図である。まず、口金２２ａのランプピン２３ａ，２３ｂをソケット１２ａの溝部５１，５４に挿入することにより、回転防止部材１３の端部が口金２２ａの外周部に当接して押し上げられる。この状態でランプ２０が当該ランプ２０の延伸方向を軸として回転されることにより、回転防止部材１３の端部は口金２２ａの外周部を摺動する。そして、ランプ２０を灯具１０に対する装着位置まで回転させると、回転防止部材１３の端部がバネ１５の付勢力によって口金２２ａの外周部に設けられた回転防止用穴部２４に挿入される。これにより、ランプ２０が当該ランプ２０の延伸方向を軸として回転しようとしても、回転防止部材１３が回転防止用穴部２４の側面に当接して回転が規制（防止）される。
【００５４】
図９は、ランプ２０の交換等のためにランプ２０を灯具１０から取り外す方法を示す説明図である。この図に示すように、回転防止部材１３の一部にマイナスドライバー等の工具Ｔの先端を当て、回転防止部材１３に対してバネ１５の付勢力に反する方向の力を加える。これにより、バネ１５が縮んで回転防止部材１３が移動し、回転防止部材１３の他端側の端部が回転防止用穴部２４から抜き出される。これにより、ランプ２０を回転させてランプ２０を灯具１０から取り外すことが可能になる。
【００５５】
なお、図１０（ａ）および図１０（ｂ）に示すように、回転防止部材１３の一部にランプ２０を取り外すために回転防止部材１３に対してバネ１５の付勢力に反する方向の力を加える際にマイナスドライバー等の工具を当接させるための凹部（被当接部）５６あるいは凸部（被当接部）５７を設けてもよい。すなわち、回転防止部材１３の一部に、工具を当接させるための、回転防止部材１３の延伸方向（回転防止部材１３を回転防止用穴部２４から抜き出す方向）に対して非平行な面を有する被当接部を設けてもよい。
【００５６】
また、本実施形態では、回転防止部材１３の一部にマイナスドライバー等の工具を当てることにより回転防止部材１３に対してバネ１５の付勢力に反する方向の力を加えるものとしたが、これに限るものではない。例えば、プライヤー等の工具により回転防止部材１３を挟むことにより回転防止部材１３に上記力を加えるようにしてもよい。また、作業者が回転防止部材１３に直接触れて押し上げたり、回転防止部材１３の一部を摘んで押し上げたりすることにより回転防止部材１３に上記力を加えるようにしてもよい。
【００５７】
また、灯具１０の本体部１１に工具を挿入するための工具挿入穴を設け、この工具挿入穴から工具を挿入することにより、回転防止部材１３、回転防止部材１３に取り付けられた部材、あるいは回転防止部材１３に直接的または間接的に当接する部材を操作して回転防止部材１３に上記力を加えるようにしてもよい。
【００５８】
図１１は、工具挿入穴を介して回転防止部材１３を操作することにより回転防止用穴部２４から抜き出す構成の一例を示す説明図である。この図に示す照明装置１００は、図１に示した構成に加えて、本体部１１内に、第２収容部１７に対してこの第２収容部１７に収容される回転防止部材１３の延伸方向に垂直な方向に連通する第３収容部６２と、第３収容部６２の一部から回転防止部材１３の延伸方向に沿って本体部１１の外面まで貫通する工具挿入穴６３とを備えている。また、回転防止部材１３における第２収容部１７に収容される部分には、当該回転防止部材１３の延伸方向に垂直な方向に突出する突出部６１が設けられており、この突出部６１は第３収容部６２内に回転防止部材１３の延伸方向に移動可能に収容されている。この構成では、図１１に示したように、工具挿入穴６３から例えばドライバ等の工具Ｔを挿入し、回転防止部材１３を回転防止用穴部２４から抜き出す方向に押すことにより、回転防止部材１３を当該方向に移動させて回転防止用穴部２４から抜き出すようになっている。
【００５９】
図１２は、工具挿入穴を介して回転防止部材１３を操作することにより回転防止用穴部２４から抜き出す構成の他の例を示す説明図である。この図に示す照明装置１００は、図１に示した構成に加えて、本体部１１内に、第２収容部１７に対してこの第２収容部１７に収容される回転防止部材１３の延伸方向に垂直な方向に連通する第３収容部６２と、第３収容部６２の一部から回転防止部材１３の延伸方向に垂直な方向に沿って本体部１１の外面まで貫通する工具挿入穴６４とを備えている。また、回転防止部材１３における第２収容部１７に収容される部分には、当該回転防止部材１３の延伸方向に垂直な方向に突出する突出部６１が設けられており、この突出部６１は第３収容部６２内に回転防止部材１３の延伸方向に移動可能に収容されている。この構成では、図１２に示したように、工具挿入穴６４を介して突出部６１と第３収容部６２の底面（ランプ２０側の面）との間にマイナスドライバー等の工具Ｔの先端を挿入し、工具Ｔを回転させることによって突出部６１を押し上げて回転防止部材１３を回転防止用穴部２４から抜き出すようになっている。なお、突出部６１を押し上げる方法はこれに限るものではない。例えば、工具挿入穴６４の下方側の端部６５を支点として工具Ｔの取手部を下方に押し下げることにより、上記取手部を力点として機能させ、突出部６１に当接させた工具Ｔの先端を作用点として機能させ、梃子の原理を利用して突出部６１を押し上げるようにしてもよい。
【００６０】
図１３は、工具挿入穴を介して回転防止部材１３を操作することにより回転防止用穴部２４から抜き出す構成のさらに他の例を示す説明図である。この図に示す照明装置１００は、図１に示した構成に加えて、本体部１１内に、第２収容部１７に対してこの第２収容部１７に収容される回転防止部材１３の延伸方向に垂直な方向に連通する第３収容部６２と、第３収容部６２の一部から回転防止部材１３の延伸方向に連通するカム収容部６６と、カム収容部６６から回転防止部材１３の延伸方向に垂直な方向に沿って本体部１１の外面まで貫通する工具挿入穴６４とを備えている。また、回転防止部材１３における第２収容部１７に収容される部分には、当該回転防止部材１３の延伸方向に垂直な方向に突出する突出部６１が設けられており、この突出部６１は第３収容部６２内に回転防止部材１３の延伸方向に移動可能に収容されている。また、突出部６１におけるランプ２０側の面には偏心カム６７が当接しており、この偏心カム６７はカム収容部６６内に偏心軸を軸として回転可能に備えられている。また、偏心カム６７の偏心軸は工具挿入穴６４に対向する位置に配置されており、この偏心軸の工具挿入穴６４側の端部には工具Ｔによって当該偏心カム６７を回転させるための工具Ｔの先端形状に応じた凹部（図示せず）が設けられている。この構成では、図１３に示したように、工具挿入穴６４を介してドライバ等の工具Ｔの先端を偏心カム６７の上記凹部に挿入し、偏心カム６７を回転させることにより、突出部６１を偏心カム６７によって押し上げて回転防止部材１３を回転防止用穴部２４から抜き出すようになっている。
【００６１】
以上のように、本実施形態にかかる照明装置１００は、ソケット１２ａ，１２ｂを有する灯具１０と、ソケット１２ａ，１２ｂに装着されるランプ２０とを備え、ランプ２０の口金２２ｂに設けられたランプピン（突出部）２２ｃをソケット１２ｂに設けられた溝部４１に挿入し、口金２２ａに設けられたランプピン（突出部）２２ａ，２２ｂをソケット１２ａに設けられた溝部５１，５４に挿入した後、ランプ２０を溝部４１および溝部５１，５４に対する挿入方向に垂直な方向を軸として所定角度（本実施形態では９０度）回転させることによりランプ２０を灯具１０に装着する照明装置であって、ランプ２０に設けられた回転防止用穴部２４と、灯具１０におけるランプ２０を所定角度回転させて装着したときにランプ２０の回転防止用穴部２４に対向する位置に設けられた回転防止部材１３とを備えている。そして、ランプ２０が正規の装着位置に装着されたときに回転防止部材１３の一部が回転防止用穴部２４に挿入されるようになっている。これにより、ランプ２０を正規の装着位置に装着した状態からランプ２０が回転することを防止することができる。
【００６２】
なお、本実施形態では、ランプ２０として直管形のＬＥＤランプを用いている。直管形のＬＥＤランプは、図３に示したように、放熱部保持部材３２、放熱部３３、ＬＥＤ基板３４、およびＬＥＤ（光源）３５が直管部２１の内周面における一部の領域に対向するように配置されているので、直管部２１の延伸方向に垂直な断面における重心が当該断面のなす円の中心に対して偏心している。また、ランプ２０は、直管部２１における放熱部保持部材３２、放熱部３３、ＬＥＤ基板３４、およびＬＥＤ（光源）３５が備えられる側、すなわち重い側が天井側になるように灯具１０に装着される。このため、ランプ２０を正規の装着位置に設置している状態では、ランプ２０の自重によりランプ２０が常に回転しやすい状態、すなわち直管部２１における放熱部保持部材３２、放熱部３３、ＬＥＤ基板３４、およびＬＥＤ（光源）３５が備えられる側が床面側を向くように回転しようとする力が作用している状態になっている。したがって、振動やソケットの磨耗等が生じた場合に、ランプ２０が正規の装着位置から回転してしまう虞がある。そして、ランプ２０の回転によりソケット１２ａ，１２ｂの溝部４１，５２の開口部が鉛直下方を向くと、ランプ２０が灯具１０から落下する虞がある。これに対して、本実施形態によれば、回転防止用穴部２４に回転防止部材１３を挿入することにより、ランプ２０として直管形のＬＥＤランプを用いる場合であってもランプ２０の回転を適切に防止できるので、ランプ２０が落下することを防止できる。
【００６３】
また、本実施形態では、回転防止用穴部２４が、ランプ２０を正規の装着位置に装着したときに回転防止部材１３に対向する位置に設けられている。したがって、ランプ２０の装着作業を行う作業者は、回転防止部材１３が回転防止用穴部２４に挿入されるようにランプ２０を回転させればよいので、ランプ２０が上下反対の状態で装着されることを防止できる。
【００６４】
また、本実施形態にかかる灯具１０は日本電球工業会規格ＪＥＬ８０１に準拠したソケットを有しており、同規格ＪＥＬ９０７に準拠したＧＸ１６ｔ−５口金を有するランプであれば物理的に装着できるようになっている。しかしながら、灯具およびランプは製造メーカ毎あるいは製品の型番毎に異なる特性を有しており、灯具の特性に合致したランプを装着する必要がある。
【００６５】
例えば、ユーザー要望に応じたランプ性能を実現するようにランプおよび灯具が個別に設計された照明装置の場合、他社製品や同社製品であっても設計の異なる製品との互換性が十分に確保されていない場合がある。このため、例えば、灯具への給電を行ったままランプ交換がなされたときに、ソケットへのオープン時電圧制限保護回路が無いものでは、ランプ接続時にランプが突入電流のダメージを受ける虞がある。また、ランプの給電端子から見た容量成分が電源負荷の許容範囲外にあった場合、電源からの雑音や高調波の発生などにより、他の機器へ悪影響を及ぼす虞がある。
【００６６】
したがって、灯具に対する互換性を有さないランプが誤って装着されることを防止する機構を備えることが好ましいが、従来は、電気的特性に関する互換性を有さないランプであってもソケットの規格に対応する物理的寸法を有する口金を備えたランプであれば電気的特性に関係なく灯具に容易に装着されてしまうという問題があった。また、ランプが灯具に対する電気的特性に関する互換性を有しているかを一般消費者に判断させることは実際上困難であり、互換性を有さないランプが装着される虞があった。
【００６７】
これに対して、本実施形態にかかる照明装置１００では、回転防止部材１３が回転防止用穴部２４に挿入されるか否かにより、ランプ２０が灯具１０に対する互換性を有するランプであるか否かを容易に判断することができるので、互換性を有さないランプが誤って装着されることを抑制できる。
【００６８】
なお、ランプ２０がソケット１２ａ，１２ｂに挿入されているにもかかわらず回転防止部材１３が回転防止用穴部２４に挿入されていない場合、すなわち回転防止部材１３がランプ２０の口金２２ａ等によって上方に押し上げられたままの状態である場合に、ランプ２０への通電を遮断する保護回路を備える構成としたり、ランプ２０が正常に装着されていないことを示す警告（警告音の出力、あるいは警告灯の点灯など）を行ったりする構成としてもよい。これにより、ランプ２０が誤装着された状態で照明装置１００が使用されたり、灯具１０に対応していないランプが装着された状態で照明装置１００が使用されたりすることを防止できる。
【００６９】
また、本実施形態では、回転防止用穴部２４をランプ２０の口金２２ａにおける灯具１０の本体部１１に対向する位置に設け、灯具１０の本体部１１に回転防止部材１３を設けているが、これに限るものではない。すなわち、回転防止用穴部２４または回転防止部材１３の一方を、ランプ２０を装着するためにランプ２０を回転させる際に灯具１０の本体部１１に対して相対的に回転する回転部材（ランプ２０の口金２２ａ、口金２２ｂ、直管部２１、ソケット１２ａの回転支持部５３、またはソケット１２ｂの支持部４２）に設け、他方を灯具１０の本体部１１に対して相対的に回転しない非回転部材（本体部１１、ソケット１２ａにおける回転支持部５３以外の部材（ソケット筐体部）、またはソケット１２ｂにおける支持部４２以外の部材（ソケット筐体部））に設ければよい。
【００７０】
例えば、回転防止用穴部２４をランプ２０の口金２２ａにおけるソケット１２ａに対向する位置に設け、灯具１０のソケット１２ａにおけるランプ２０が正規の装着位置に装着されたときに回転防止用穴部２４に対向する位置に回転防止部材１３を設けてもよい。また、回転防止用穴部２４をランプ２０の口金２２ｂに設け、灯具１０のソケット１２ｂまたは本体部１１におけるランプ２０が正規の装着位置に装着されたときに回転防止用穴部２４に対向する位置に回転防止部材１３を設けてもよい。また、回転防止用穴部２４を口金２２ａおよび口金２２ｂの両方に設け、灯具１０におけるランプ２０が正規の装着位置に装着されたときにそれら各回転防止用穴部２４に対向する位置にそれぞれ回転防止部材１３を設けてもよい。
【００７１】
また、回転防止用穴部２４を灯具１０の本体部１１、ソケット１２ａ、またはソケット１２ｂのいずれか１つ以上に設け、回転防止部材１３をランプ２０における当該ランプ２０が正規の装着位置に装着されたときに回転防止用穴部２４に対向する位置に設けてもよい。
【００７２】
また、回転防止用穴部２４は、従来から用いられているランプ２０あるいは灯具１０に既存のネジ挿入穴等の穴部であってもよい。これにより、灯具１０あるいはランプ２０のうち、回転防止用穴部２４として用いる穴部が設けられていない方に回転防止部材１３を設けるだけでランプ２０の回転を防止できる。したがって、灯具１０あるいはランプ２０のうち、回転防止用穴部２４として用いる穴部が設けられている方については、従来から用いられている灯具１０またはランプ２０を用いることができる。
【００７３】
また、回転防止用穴部２４は、回転防止部材１３の挿入方向に窪んだ形状であればよく、例えば回転防止部材１３の挿入方向に垂直な方向の一部が外部に開放された溝状の穴部であってもよい。
【００７４】
〔実施形態２〕
本発明の他の実施形態について説明する。なお、説明の便宜上、実施形態１と同様の機能を有する部材には実施形態１と同じ符号を付し、その説明を省略する。
【００７５】
実施形態１では、回転防止部材１３をランプ２０の方向に付勢するバネ１５を備え、ランプ２０が正規の装着位置に装着されたときにバネ１５の付勢力によって回転防止部材１３が回転防止用穴部２４に自動的に挿入される構成について説明した。これに対して、本実施形態では、ランプ２０の装着作業を行う作業者が手動により回転防止部材を取り付ける構成について説明する。
【００７６】
図１４は、本実施形態にかかる照明装置１００ｂの構成を示す説明図である。この図に示すように、照明装置１００ｂは、灯具１０ｂとランプ２０とを備えている。
【００７７】
ランプ２０としては、実施形態１で用いたランプ２０と同様のものを用いることができる。なお、実施形態１のランプ２０から回転防止用穴部２４を省いた構成のランプを用いてもよい。
【００７８】
本実施形態における灯具１０ｂと実施形態１で用いた灯具１０との相違点は、本体部１１ｂには回転防止部材１３が備えられておらず、回転防止部材１３ｂによってランプ２０の回転防止が図られている点、およびソケット１２ａに代えてソケット１２ｃが用いられている点である。
【００７９】
図１５はソケット１２ｃの構成を示す説明図であり、回転支持部５３がランプ２０の正規の装着位置にある状態であって、回転防止部材１３ｂが取り付けられる前の状態を示している。この図に示すように、ソケット１２ｃの回転支持部５３ｂは、実施形態１におけるソケット１２ａの回転支持部５３に対し、ランプ２０が正規の装着位置に装着されたときにソケット１２ｃの溝５１と連通する位置に回転防止用穴部５５が設けた構成である。なお、回転防止部材１３ｂはネジ山を有する雄ネジであり、回転防止用穴部５５には、回転防止部材１３ｂに設けられたネジ山に対応するネジ溝が切られている。回転防止用穴部５５に加えて、溝部５１における回転防止用穴部５５に対応する位置（貫挿穴部）にネジ溝が切られていてもよい。あるいは、回転防止用穴部５５にはネジ溝を切らず、溝部５１における回転防止用穴部５５に対応する位置にネジ溝を切ってもよい。すなわち、回転防止用穴部５５および貫挿穴部のうちの少なくとも一方が回転防止部材１３ｂのネジ山に対応するネジ溝を有する雌ネジであればよい。
【００８０】
図１６はソケット１２ｃの構成を示す説明図であり、回転支持部５３がランプ２０の正規の装着位置にある状態であって、回転防止部材１３ｂが取り付けられた後の状態を示している。この図に示すように、本実施形態では、ランプ２０を灯具１０に装着する際、（ｉ）ランプピン２３ｃをソケット１２ｂの溝部４１に挿入して支持部４２に支持させ、（ｉｉ）ランプピン２３ａ，２３ｂをソケット１２ｃの溝部５１，５４に挿入し、（ｉｉｉ）ランプ２０を当該ランプ２０の延伸方向を軸として所定角度（本実施形態では９０度）回転させた後、（ｉｖ）ソケット１２ｃの溝部５１を介して回転支持部５３の回転防止用穴部５５に回転防止部材１３ｂを取り付けることにより、ランプ２０が回転することを防止するようになっている。
【００８１】
図１７は、回転防止部材１３ｂの構成を示す説明図である。この図に示すように、回転防止部材１３ｂは、ネジ山が設けられたネジ部７１と頭部７２とを備えており、頭部頂部７３には、この回転防止部材１３ｂを回すための工具の先端形状に応じた凹部７４が形成されている。
【００８２】
なお、本実施形態では、凹部７４の形状を、市販されている汎用工具（例えば、プラスドライバー、マイナスドライバー、および六角レンチ）では回すことのできない特殊形状としている。すなわち、本実施形態では、回転防止部材１３ｂとして、凹部７４が回転防止部材１３ｂを回すための特殊工具（先端形状がプラスドライバー、マイナスドライバー、および六角レンチとは異なる特殊形状である工具）の先端形状に応じた形状である特殊ネジ（いじり止めネジ、悪戯防止ネジ）を用いている。
【００８３】
以上のように、本実施形態にかかる照明装置１００ｂは、ソケット１２ｃの回転支持部５３ｂにおける、ランプ２０が正規の装着位置に装着されたときに溝部５１と連通する位置に回転防止用穴部５５が設けられている。そして、ランプ２０を正規の装着位置に装着した後、溝部５１を介して回転防止用穴部５５に回転防止部材１３ｂを挿入して取り付けることにより、回転支持部５３ｂの回転を拘束するようになっている。これにより、ランプ２０を正規の装着位置に装着した状態からランプ２０が回転することを防止することができる。
【００８４】
また、本実施形態では、回転防止部材１３ｂとして、頭部頂部７３に特殊工具（特殊ネジ用工具）の先端形状に応じた凹部７４を有する、汎用工具では回すことのできない特殊ネジを用いている。これにより、一般消費者によってランプ２０が安易に取り外されることを防止し、灯具１０ｂに対する電気的特性に関する互換性を有さないランプに誤って交換されることを防止できる。
【００８５】
なお、従来、照明装置のランプは、使用時間の経過と共に明るさが低下したり、ちらつきが生じたり、発光しなくなったりする場合があり、ランプを灯具から取り外して交換できる構造が必須であった。近年では、ランプとして寿命が非常に長いＬＥＤランプが登場し、ランプの寿命による交換の必要性は減ったものの、ＬＥＤランプの性能向上等により、より省電力で点灯できるランプに随時交換して消費電力の低減を図りたいといった要望はある。このため、一般消費者であっても必要に応じてランプ２０の交換を行えるようにしてもよい。例えば、灯具１０に対する互換性を有する交換用のランプ２０と回転防止部材１３ｂを回すための特殊工具とをセットで販売するようにしてもよい。これにより、ランプ２０の交換作業を必ずしも専門の工事業者が行う必要がなくなるとともに、灯具１０に対する互換性を有さないランプに誤って交換されることを防止できる。
【００８６】
また、本実施形態では、ソケット１２ｃに対するランプ２０の挿入方向と同じ方向に回転防止部材１３ｂを挿入するように回転防止部材１３ｂの取り付け位置を設定している。これにより、図１８（ａ）に示すように照明装置１００ｂを壁際に設置する場合、図１８（ｂ）に示すように複数の照明装置１００ｂを当該照明装置１００ｂの延伸方向に並べて設置する場合、あるいは図１８（ｃ）に示すように複数の照明装置１００ｂを当該照明装置１００ｂの延伸方向に垂直な方向に並べて設置する場合であっても、回転防止部材１３ｂを容易に取り付けることができ、ランプ２０の装着作業時の作業性を向上させることができる。
【００８７】
すなわち、ソケット１２ｃの背面側から回転防止部材１３ｂを挿入する構成では、照明装置１００ｂを壁際に設置する場合や、複数の照明装置１００ｂを当該照明装置１００ｂの延伸方向に並べて設置する場合などに、壁や他の照明装置１００ｂが邪魔になって作業性が低下する場合がある（図１８（ａ）の矢印Ａ、および図１８（ｂ）の矢印Ｃ参照）。また、ソケット１２ｃの側面側から回転防止部材１３ｂを挿入する構成では、照明装置１００ｂを壁際に設置する場合や、複数の照明装置１００ｂを当該照明装置１００ｂの延伸方向に垂直な方向に並べて設置する場合などに、壁や他の照明装置１００ｂが邪魔になって作業性が低下する場合がある（図１８（ａ）の矢印Ｂ、および図１８（ｃ）の矢印Ｄ参照）。これに対して、ソケット１２ｃに対するランプ２０の挿入方向と同じ方向（床面側から天井面側に向かう方向）に回転防止部材１３ｂを挿入するように回転防止部材１３ｂの取り付け位置を設定することにより、壁や他の照明装置が干渉することを防止し、作業性を向上させることができる。
【００８８】
また、本実施形態では、回転防止部材１３ｂとして特殊ネジを用いているが、これに限るものではない。例えば、マイナスドライバー、プラスドライバー、あるいは六角レンチなどの汎用工具で回すことのできる汎用ネジを用いてもよい。また、回転防止部材１３ｂはネジに限るものではなく、回転防止用穴部５５に挿入可能であり、かつ回転防止用穴部５５から抜き出すための操作をしない限り通常の使用状態では回転防止用穴部５５から脱落しない構成であればよい。
【００８９】
図１９は、回転防止部材１３ｂの変形例を示す説明図である。この図に示すソケット１２ｃは、ランプ２０の装着後に溝部５１を覆うように設けられた化粧部材８１を備えている。化粧部材８１は、柔軟性を有する材料からなり、一端部がソケット１２ｃの一部に取り付けられており、溝部５１を覆う位置と溝部５１を開放する位置とに変形可能になっている。化粧部材８１の材質は特に限定されるものではなく、例えば、柔軟性を有する樹脂、ゴム、あるいは金属などを用いることができる。
【００９０】
また、化粧部材８１における溝部５１を覆う位置に移動したときに溝部５１を介して回転支持部５３に設けられた回転防止用穴部５５に対向する位置には、この回転防止用穴部５５の開口部の形状に応じた断面形状を有する回転防止部材１３ｂが取り付けられている。これにより、ソケット１２ｂ，１２ｃにランプ２０が挿入され、ランプ２０を回転させることによってランプ２０を正規の装着位置に装着させた後、回転防止部材１３ｂが回転防止用穴部５５に挿入されてランプ２０の回転が防止される。
【００９１】
なお、回転防止部材１３ｂの材質および形状は特に限定されるものではなく、回転防止用穴部５５に挿入可能であり、回転防止用穴部５５から抜き出すための操作をしない限り通常の使用状態では回転防止用穴部５５から脱落せず、回転防止用穴部５５に挿入されることによって回転支持部５３が回転することを防止できる程度の強度を有する材質および形状であればよい。
【００９２】
また、本実施形態では、回転防止用穴部２４をソケット１２ｃの回転支持部５３に設け、回転防止部材１３ｂをソケット１２ｃの溝部５１を介して回転防止用穴部２４に挿入する構成について説明したが、これに限るものではない。すなわち、回転防止用穴部２４を、ランプ２０を装着するためにランプ２０を回転させる際に灯具１０の本体部１１ｂに対して相対的に回転する回転部材（ランプ２０の口金２２ａ、口金２２ｂ、直管部２１、ソケット１２ｃの回転支持部５３ｂ、またはソケット１２ｂの支持部４２）、または灯具１０の本体部１１ｂに対して相対的に回転しない非回転部材（本体部１１、ソケット１２ｃにおける回転支持部５３ｂ以外の部材（ソケット筐体部）、またはソケット１２ｂにおける支持部４２以外の部材（ソケット筐体部））の一方に設け、他方に設けられた貫挿穴部を介して回転防止部材１３ｂを回転防止用穴部２４に挿入する構成であればよい。
【００９３】
例えば、図２０（ａ）に示したように、ソケット１２ｃの背面側に設けた貫挿穴部（図示せず）を介して、回転支持部５３ｂにおける上記貫挿穴部に対向する位置に設けられた回転防止用穴部（図示せず）に回転防止部材１３ｂを挿入する構成としてもよい。
【００９４】
また、図２０（ｂ）に示したように、ソケット１２ｃの側面側に設けた貫挿穴部（図示せず）を介して、回転支持部５３ｂにおける上記貫挿穴部に対向する位置に設けられた回転防止用穴部（図示せず）に回転防止部材１３ｂを挿入する構成としてもよい。
【００９５】
また、図２０（ｃ）に示したように、ソケット１２ｃの側面側に設けた貫挿穴部（図示せず）を介して、口金２２ａにおける上記貫挿穴部に対向する位置に設けられた回転防止用穴部（図示せず）に回転防止部材１３ｂを挿入する構成としてもよい。
【００９６】
また、図２０（ｄ）に示したように、口金２２ａの周面に設けた貫挿穴部（図示せず）を介して、本体部１１ｂにおける上記貫挿穴部に対向する位置に設けられた回転防止用穴部（図示せず）に回転防止部材１３ｂを挿入する構成としてもよい。
【００９７】
また、ソケット１２ｂに備えられている支持部４２に回転防止用穴部（図示せず）を設け、ソケット１２ｂに設けられた貫挿穴部（図示せず）を介して回転防止部材１３ｂを挿入することにより、ランプ２０の回転を防止する構成としてもよい。また、口金２２ｂに設けられた貫挿穴部（図示せず）を介して本体部１１ｂに設けられた回転防止用穴部（図示せず）に回転防止部材１３ｂを挿入することにより、ランプ２０の回転を防止する構成としてもよい。
【００９８】
また、上記貫挿穴部は、回転防止部材１３ｂの挿入方向に貫通した形状であればよく、例えば回転防止部材１３ｂの挿入方向に垂直な方向の一部が外部に開放された溝状の穴部であってもよい。
【００９９】
また、上記各実施形態では、本発明を直管形のＬＥＤランプを備えた照明装置に適用する場合について説明したが、ランプの形状は直管形に限るものではなく、ソケットを備えた灯具と、ソケットに装着されるランプとを備え、ランプに設けられたランプピン（突出部）をソケットに設けられた溝部に挿入した後、ランプを回転させることによりランプをソケットに装着する構成の照明装置であれば適用できる。また、光源はＬＥＤに限るものではなく、蛍光体、エレクトロルミネッセンス（ＥＬ）素子等の他の光源を用いてもよい。
【０１００】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１０１】
本発明は、ソケットを備えた灯具と、ソケットに装着されるランプとを備え、ランプに設けられたランプピン（突出部）をソケットに設けられた溝部に挿入した後、ランプを回転させることによりランプをソケットに装着する構成の照明装置に適用できる。
【符号の説明】
【０１０２】
１０，１０ｂ  灯具
１２ａ，１２ｂ，１２ｃ  ソケット
１３，１３ｂ  回転防止部材
１４  板状部材
１５  バネ（付勢部材）
１６  第１収容部
１７  第２収容部
１９  蓋部
２０  ランプ
２１  直管部
２２ａ，２２ｂ  口金
２３ａ，２３ｂ，２３ｃ  ランプピン
２４，５５  回転防止用穴部
３１  管体部
３２  放熱板
３３  反射板
３４  ＬＥＤ基板
３５  ＬＥＤ
４１  溝部
４２  支持部
５１  溝部（貫挿穴部）
５２  切欠部
５３，５３ｂ  回転支持部
５４  溝部
６１  突出部
６２  第３収容部
６３，６４  工具挿入穴
６６  カム収容部
６７  偏心カム
８１  化粧部材
１００，１００ｂ  照明装置
【図１】
2013084527.tif 000003
【図２】
2013084527.tif 000004
【図３】
2013084527.tif 000005
【図４】
2013084527.tif 000006
【図５】
2013084527.tif 000007
【図６】
2013084527.tif 000008
【図７】
2013084527.tif 000009
【図８】
2013084527.tif 000010
【図９】
2013084527.tif 000011
【図１０】
2013084527.tif 000012
【図１１】
2013084527.tif 000013
【図１２】
2013084527.tif 000014
【図１３】
2013084527.tif 000015
【図１４】
2013084527.tif 000016
【図１５】
2013084527.tif 000017
【図１６】
2013084527.tif 000018
【図１７】
2013084527.tif 000019
【図１８】
2013084527.tif 000020
【図１９】
2013084527.tif 000021
【図２０】
2013084527.tif 000022